(57)【要約】      （修正有）【課題】電流強度の調節を簡単に行うことができる経皮神経刺激機のプローブ装置を提供する。【解決手段】リード線２１と、リード線２１の一端に電気的に接続された第１挿込部材２２と、を有し、第１挿込部材２２を電流発生器に差し込んで電気的接続をすることができる連結ユニット２と、プローブ体と、プローブ体に設けられ、治療対象に接触する接触部材３２と、プローブ体内に取り付けられた回路板と、プローブ体上に設けられ、回路板に電気的に接続された制御スイッチ３４と電流調節部材３５とを有し、回路板は、接触部材３２とリード線２１とに電気的に接続され、制御スイッチ３４は、接触部材３２とリード線２１との間の電気的接続を開閉状態に切替え可能なプローブユニット３とを備えている。【選択図】図３
0003159214.tif 000002
【実用新案登録請求の範囲】
【請求項１】
周波数が異なる電流を生成する調節可能な電流発生器を備えた経皮神経刺激機に用いられるプローブ装置において、
リード線と、前記リード線の一端に電気的に接続された第１挿込部材と、を有し、前記第１挿込部材を前記電流発生器に差し込んで電気的接続をすることができる連結ユニットと、
プローブ体と、前記プローブ体に設けられ、治療対象に接触する接触部材と、前記プローブ体内に取り付けられた回路板と、前記プローブ体上に設けられ、前記回路板に電気的に接続された制御スイッチと電流調節部材とを有し、前記回路板は、前記接触部材と前記リード線とに電気的に接続され、前記制御スイッチは、前記接触部材と前記リード線との間の電気的接続を開閉状態に切替え可能なプローブユニットと、
を備えていることを特徴とするプローブ装置。
【請求項２】
前記プローブユニットは、前記プローブ体上に設けられ、前記回路板に電気的に接続されたディスプレイを更に設け、前記ディスプレイには、前記接触部材に流れる電流データを示すことを特徴とする請求項１に記載のプローブ装置。
【請求項３】
前記プローブユニットは、前記プローブ体内に設けられ、前記回路板に電気的に接続された周波数コントローラーと、時間コントローラーと、温度測定器とを更に設けていることを特徴とする請求項２に記載のプローブ装置。
【請求項４】
前記プローブ体には、スロットが設けられ、前記連結ユニットは、前記リード線の他端に電気的に接続された第２挿込部材をさらに設け、前記第２挿込部材を前記スロットに差し込んで前記回路板に電気的に接続させることができることを特徴とする請求項１〜３のいずれか一項に記載のプローブ装置。
【考案の詳細な説明】
【技術分野】
【０００１】
本考案は、プローブ装置に関し、特に電気で神経を刺激する経皮神経刺激機のプローブ装置に関する。
【背景技術】
【０００２】
図１には、従来から使われている低周波電流による人体のツボを刺激する経皮神経刺激機の一例を示し、図２は、この経皮神経刺激機に用いられたプローブ装置を示す。この神経刺激機は、周波数が異なる低周波電流を発生させる調節可能な電流発生器１１と、電流を出力させる２本のリードアウト線１２と、電流を入力させる２本のリードイン線１３と、第１プローブ装置１４と、第２プローブ装置１５とを備えている。（特許文献１参照）リードアウト線１２とリードイン線１３とは、電流発生器１１及び第１プローブ装置１４と第２プローブ装置１５に電気的に接続され、電気ループを構成する。電流発生器１１には、複数の出力モードを切替える機能つまみ１６、１６、・・・、プローブ装置１４、１５には、切替えスイッチ１７、１７を設けている。
【０００３】
電流発生器１１のスイッチをオンにすると、電流が発生し、両手でスイッチオンしたプローブ装置１４、１５を握って、そのプローブヘッドを治療対象の体に接触させる。つまみ１６により電流発生器１１の周波数を調節し、異なる周波数の低周波電流を体内に流し、所定点を介して神経を刺激することができる。
【先行技術文献】
【特許文献】
【０００４】
【特許文献１】台湾公告第Ｍ312331号
【考案の概要】
【考案が解決しようとする課題】
【０００５】
この経皮神経刺激機は、プローブ装置１４、１５を介して人体の経絡を刺激することができる。しかしながら、ユーザは、両手でプローブ装置１４、１５のプローブを握りながら、自分の体又は治療対象にプローブを接触させることにより行わなければならないため、最適な電流強度を得るために電流発生器１１の電流強度を調節するには、人手を借りるか、又は、いずれかの手でつまみ１６を何回も繰り返して調節しなければならず、こういった作業は手間が掛かり、面倒である。また、電流を調節する時間が長くなると、治療対象に不快感を与えてしまうおそれもあり、なおも改良すべき点がある。
【０００６】
本考案は、電流強度の調節を簡単に行うことができる経皮神経刺激機のプローブ装置を提供することを目的とする。
【課題を解決するための手段】
【０００７】
上記目的を解決するために、本考案は、周波数が異なる電流を生成する調節可能な電流発生器を備えた経皮神経刺激機に用いられるプローブ装置において、リード線と、前記リード線の一端に電気的に接続された第１挿込部材と、を有し、前記第１挿込部材を前記電流発生器に差し込んで電気的接続をすることができる連結ユニットと、プローブ体と、前記プローブ体に設けられ、治療対象に接触する接触部材と、前記プローブ体内に取り付けられた回路板と、前記プローブ体上に設けられ、前記回路板に電気的に接続された制御スイッチと電流調節部材とを有し、前記回路板は、前記接触部材と前記リード線とに電気的に接続され、前記制御スイッチは、前記接触部材と前記リード線との間の電気的接続を開閉状態に切替え可能なプローブユニットと、を備えているプローブ装置を提供する。
【０００８】
前記プローブ装置において、前記プローブユニットは、前記プローブ体上に設けられ、前記回路板に電気的に接続されたディスプレイを更に設け、前記ディスプレイには、前記接触部材に流れる電流データを示すようにしてもよい。
【０００９】
前記プローブ装置において、前記プローブユニットは、前記プローブ体内に設けられ、前記回路板に電気的に接続された周波数コントローラーと、時間コントローラーと、温度測定器とを更に設けてもよい。
【００１０】
前記プローブ装置において、前記プローブ体には、スロットが設けられ、前記連結ユニットは、前記リード線の他端に電気的に接続された第２挿込部材をさらに設け、前記第２挿込部材を、前記スロットに差し込んで前記回路板に電気的に接続させることができるようにしてもよい。
【考案の効果】
【００１１】
本考案のプローブ装置によれば、プローブユニットのプローブ体を握りながら、指で直接プローブ体上に設けられた電流調節部材を操作することができるので、接触部材を治療対象に接触させながら、いつでも同時に電流の強度を調節することができる。したがって、使い勝手がよく、治療対象に不快感を与えることなく治療を施すことができる。
【図面の簡単な説明】
【００１２】
【図１】従来の経皮神経刺激機の一例を示す。
【図２】上記経皮神経刺激機に用いられるプローブ装置を示す。
【図３】本考案の第１実施形態に係る経皮神経刺激機に用いられるプローブ装置を示す斜視図である。
【図４】図３のプローブ装置における回路の接続を概略的に示すブロック図である。
【図５】本考案の第２実施形態に係る経皮神経刺激機に用いられるプローブ装置を示す斜視図である。
【図６】図５のプローブ装置における回路の接続を概略的に示すブロック図である。
【図７】本考案の第３実施形態に係る経皮神経刺激機に用いられるプローブ装置を示す斜視図である。
【図８】図６のプローブ装置における回路の接続を概略的に示すブロック図である。
【考案を実施するための形態】
【００１３】
以下、添付図面を参照しつつ本考案の好適な実施形態例を詳細に説明する。なお、図面に示す構成要素と同じ機能を有する構成要素については同一の符号を付記し、その詳細な説明を省略する。
【実施例１】
【００１４】
図３は、本考案の第１実施形態に係る経皮神経刺激機に用いられるプローブ装置を示す斜視図、図４は、このプローブ装置における回路の接続を概略的に示すブロック図である。
本考案のプローブ装置は、例えば図１の電流発生器１１を備えた経皮神経刺激機に用いられており、連結ユニット２と、プローブユニット３とを備えている。電流発生器１１は、異なる電流周波数と電流強度を含む異なる電流値に設定された複数の出力モードを切替える機能つまみ１６、１６、・・・を設けている。また、電流発生器１１は、当技術分野で周知であり、本明細書で詳述する必要はない。
【００１５】
連結ユニット２は、リード線２１と、リード線２１の一端に電気的に接続された第１挿込部材２２と、を有する。第１挿込部材２２を電流発生器１１に設けられた挿込孔に差し込んで電気的に接続することができる。
【００１６】
プローブユニット３は、プローブ体３１と、プローブ体３１に設けられ、治療対象に接触する接触部材３２と、プローブ体３１内に取り付けられた回路板３３と、プローブ体３１上に設けられ、回路板３３に電気的に接続された制御スイッチ３４と電流調節部材３５とを有する。回路板３３は、接触部材３２とリード線２１とに電気的に接続され、制御スイッチ３４は、接触部材３２とリード線２１との間の電気的接続を開閉状態に切替え可能なように接続されている。
【００１７】
この例において、電流調節部材３５としては、例えば抵抗を変えて電流の大きさを調節する抵抗制御部材であり、例えば指で転がすことができる歯車又は回転つまみを用いる。回転つまみを使ったり、又は歯車のピッチを小さくすることにより、電流を微調節することができる。
【００１８】
また、この例においては、電流調節部材３５と制御スイッチ３４とを独立して取り付けているが、必要に応じて、電流調節部材３５と制御スイッチ３４とを一体に構成してもよく、例えば、電流調整部材３５を最後まで回し切ると、電流の流れを中断し、電源が切れるようにしてもよい。
【００１９】
次に、この実施の形態例のプローブ装置の使用について説明する。
【００２０】
連結ユニット２の第１挿込部材２２を図１に示す電流発生器１１の挿込孔に挿入し、プローブユニット３の接触部材３２を治療対象の治療部位に当てる。そして、制御スイッチ３４をオンに切替えて、回路板３３により、リード線２１と接触部材２２とを電気的導通させ、電流発生器１１による電流を接触部材３２を介して治療部位に流し、経皮的に当該部位の神経を刺激する。そして電流を流しながら、指で電流調節部材３５を回して電流強度を調節する。したがって、異なる電流強度になるように何回も調節して、接触部材３２を介して流れる電流を変化させることができるので、当該部位に任意の電流強度に変化させた電流を流すことができ、電流による刺激を与えることができる。
【００２１】
以上のように、本考案のプローブ装置は、以下の利点がある。即ち、
１．  電流強度の即時調節：電流調節部材３５によって異なる電流強度に調節することによって、ユーザがプローブユニット３を握ったまま、指で電流調節部材３５を回し、電流の大きさを調節することができる。また、治療対象が電流をもっと強く、或いは弱くしたいとき、直ちに対応することもできる。
２．  使い勝手がよい：制御スイッチ３４と電流調節部材３５が共にプローブ体３１に設けられているので、片手で制御スイッチ３４と電流調節部材３５を操作することができる。従って操作が簡単になる。
３．  快適性を有する：片手で電流調節部材３５を操作して、電流強度を調節することができるので、治療対象は、調節する間も電流強度の変化を感じることができ、従来のように、長い間電流強度を調節し続けることを繰り返す必要がなくなり、治療対象にとって快適な治療を施すことができる。また、電流の微調節ができることにより、治療対象は、大きな変化を感じることなく、更に快適に治療を受けることができる。
【実施例２】
【００２２】
図５は、本考案の第２実施形態に係る経皮神経刺激機に用いられるプローブ装置を示す斜視図、図６は、このプローブ装置における回路の接続を概略的に示すブロック図である。この例において、前記実施形態と違う点は、プローブユニット３は、ボタンセット３０と、ディスプレイ３６、周波数コントローラー３７と、時間コントローラー３８と、温度測定器３９とをさらに備えていることにある。ボタンセット３０と、ディスプレイ３６、周波数コントローラー３７と、時間コントローラー３８と、温度測定器３９とはプローブ体３１上に設けられ、回路板３３に電気的に接続されている。
【００２３】
使用の際は、ボタンセット３０を切替えることで、回路板３３に異なる命令を送り、所定の周波数、時間、温度及び、電流強度に設定することができる。ディスプレイ３６は、設定された周波数、時間、温度及び、電流強度を表示することができる。
【００２４】
電流周波数を設定するとき、ボタンセット３０の切替えにより、周波数コントローラー３７を制御し、リード線２１から入った電流周波数を調節し、ユーザーの初期値になるように接触部材３２から導いた電流周波数が得られ、且つ、この電流周波数の値をディスプレイ３６に表示させることができる。
【００２５】
時間を設定するとき、ボタンセット３０の切替えにより、時間コントローラー３８を制御し、接触部材３２が出力電流を用いた時間、或いは、電流が接触部材３２まで流れた時間を算出して、ディスプレイ３６に表示させる。時間コントローラー３８によって、所定の時間が経ったらプローブユニット３が所定のモードを作動させるように時間を設定できるようにしてもよく、例えば、電源のオンオフなどの切換え操作を自動的にするように設定する。また、ディスプレイ３６に使用時間、電源投入時間などの１つ又は複数を表示させてもよい。
【００２６】
温度を設定するとき、温度測定器３９により接触部材３２を介して測定対象の体温を測り、ディスプレイ３６にその温度値を表示させる。この温度測定器３９により、治療対象の刺激されたところの体温を測定することで、治療対象の体温から治療対象の体の状況が分かる。これにより、治療対象の具合が悪いときは神経を刺激し続けることをやめることができる。
【００２７】
このように、電流周波数や、時間、温度、電流強度などを調節することにより、本考案のプローブ装置を用いた経皮神経刺激機に対する操作が多様化する。また、電流強度を調節する機能の他、出力位相、周波数、振幅、感度などを調整する出力モードも含むように構成されてもよい。なお、出力位相を変えることにより、種々な刺激波形を出力することができる。周波数を変えることにより、秒毎に人体に導入される低周波を制御することができる。振幅を変えることにより、低周波の導入強度を制御することができる。感度を変えることにより、電気ループの抵抗値を測ることができる。
【００２８】
感度を変えるにあたって、使用の際、プローブユニット３を治療対象の皮膚に接触させ、同時に抵抗値を測る。測定対象の血行がよいときは、抵抗値が低く、感度値が高くなり、血行がよくないときは、抵抗値が高く、感度値が低くなることから、体内の血行代謝の状態を知ることができるといったような、多機能性が伴われ、使い勝手がよい。
【実施例３】
【００２９】
図７は、本考案の第３実施形態に係る経皮神経刺激機に用いられるプローブ装置を示す斜視図、図８は、このプローブ装置における回路の接続を概略的に示すブロック図である。
【００３０】
このプローブ装置において、前記形態の構成要素のほか、プローブ体３１には、スロット３０１が設けられ、連結ユニット２は、リード線２１の他端に電気的に接続された第２挿込部材２３をさらに設けている。第２挿込部材２３を、スロット３０１に差し込むことにより、回路板３３に電気的に接続させることができる。
【００３１】
使用中、プローブユニット３のプローブ体３１は、連結ユニット２のリード線２１が引張られてしまうと、プローブ体３１とリード線２１との間に接触不良をきたすことがある。第３の実施の形態においては、連結ユニット２のリード線２１が引張られたとき、プローブ体３１に差し込まれた第２挿込部材２３が抜けるように構成されている。これにより、プローブ体３１とリード線２１との間における接触不良による焼損をなくすことができ、回路を保護することができる。
【００３２】
以上により、プローブユニット３のプローブ体３１を持ちながら、指で直接電流調整部材３５を操作することができるので、治療対象に接触させると同時に、電流強度の強弱を即時調節することができ、使用勝手がよくなり、治療対象に不快感を与えずに済むことができる。
【符号の説明】
【００３３】
２  連結ユニット
２１  リード線
２２  第１挿込部材
２３  第２挿込部材
３  プローブユニット
３０  ボタンセット
３０１  スロット
３１  プローブ体
３２  接触部材
３３  回路板
３４  制御スイッチ
３５  電流調節部材
３６  ディスプレイ
３７  周波数コントローラー
３８  時間コントローラー
３９  温度測定器
【図１】
0003159214.tif 000003
【図２】
0003159214.tif 000004
【図３】
0003159214.tif 000005
【図４】
0003159214.tif 000006
【図５】
0003159214.tif 000007
【図６】
0003159214.tif 000008
【図７】
0003159214.tif 000009
【図８】
0003159214.tif 000010